(57)【要約】【課題】無線ＬＡＮの普及には、アクセスポイントのエリアを拡大する必要がある。しかし、通信事業者はビジネスベースでアクセスポイントを設置するため限界がある。一方、現在はＡＤＳＬが普及し、家庭内において常時接続の環境が整いつつあり、ＡＤＳＬ回線の端末にアクセスポイントを接続すれば、他人も利用できるが、現在は、家庭内のアクセスポイントを利用するためのビジネスモデルや手段が確立されていない。【解決手段】帯域を開放するアクセスポイント３ａの所有者と開放される帯域の情報をサーバ１０に登録し、利用端末１ａからアクセスポイント３ａを介した接続要求があった場合は、当該アクセスポイント３ａに対して帯域の利用許可を指示し、利用端末１ａに通信を行わせる。また、アクセスポイント３ａの利用度数に応じて、その所有者（会員３）に会費収入からの分配金を還元する。【選択図】　図１
2004064536.tif 000002
【特許請求の範囲】
【請求項１】
利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバであって、
前記帯域を開放するアクセスポイントの所有者の会員登録を受け付けると共に、該会員の個人情報及び会員の所有するアクセスポイントに関する情報を登録するための会員登録手段と、
前記アクセスポイントで提供される帯域の情報を登録するための帯域登録手段と、
前記利用端末から前記アクセスポイントを介した接続要求を受け付けた場合に、該利用端末の認証を行うための端末認証手段と、
前記端末認証手段による利用端末の認証が正常に行われた場合に、前記アクセスポイントに対して、当該利用端末による帯域の利用を許可するように通知するための利用許可通知手段と
を具備することを特徴とする無線ＬＡＮシステムのアクセス管理サーバ。
【請求項２】
前記アクセスポイントにおける利用度数の情報と、前記利用端末における利用度数の情報を所定の期間ごとに受信するための利用度数受信手段と、
前記アクセスポイントにおける利用度数の情報と、前記利用端末における利用度数の情報を突き合わせて確認するための利用度数情報確認手段と、
前記アクセスポイントの利用度数に応じて、前記アクセスポイントの所有者に還元するための、会員の会費収入からの分配金額を所定の基準により算出するための分配金額算出手段と
をさらに具備することを特徴とする請求項１に記載の無線ＬＡＮシステムのアクセス管理サーバ。
【請求項３】
利用可能な帯域の全部または一部を利用端末に開放する中継用端末と、利用可能な帯域の全部または一部を前記中継用端末に開放するアクセスポイントと、前記アクセスポイントと通信ネットワークを介して接続されると共に前記アクセスポイント及び中継用端末が開放する帯域の情報を登録し管理するためのアクセス管理サーバとを有する無線ＬＡＮシステムにおける前記アクセス管理サーバであって、
前記アクセスポイント及び中継用端末の所有者の会員登録を受け付けると共に、該会員の個人情報及び会員の所有するアクセスポイント及び中継用端末に関する情報を登録するための会員登録手段と、
前記アクセスポイント及び中継用端末で開放される帯域の情報を登録するための帯域登録手段と、
前記利用端末から前記中継用端末及びアクセスポイントを介した接続要求を受け付けた場合に、該利用端末及び中継用端末の認証を行うための端末認証手段と、
前記端末認証手段による利用端末及び中継用端末の認証が正常に行われた場合に、前記アクセスポイント及び中継用端末に対して、当該利用端末による帯域の利用を許可するように通知するための利用許可通知手段と
を具備することを特徴とする無線ＬＡＮシステムのアクセス管理サーバ。
【請求項４】
前記アクセスポイントにおける利用度数の情報と、前記中継用端末における利用度数の情報と、前記利用端末における利用度数の情報を所定の期間ごとに受信するための利用度数受信手段と、
前記アクセスポイントにおける利用度数の情報と、前記中継用端末における利用度数の情報と、前記利用端末における利用度数の情報を突き合わせて確認するための利用度数情報確認手段と、
前記利用度数に応じて、前記アクセスポイントの所有者及び中継用端末の所有者に還元するための、会員の会費収入からの分配金額を所定の基準により算出するための分配金額算出手段と
をさらに具備することを特徴とする請求項３に記載の無線ＬＡＮシステムのアクセス管理サーバ。
【請求項５】
利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバであって、
前記帯域を開放するアクセスポイントの所有者の会員登録を受け付けると共に、該会員の個人情報及び会員の所有するアクセスポイントに関する情報を登録するための会員登録手段と、
前記アクセスポイントで開放される帯域の情報を登録するための帯域登録手段と、
前記帯域を提供したアクセスポイントの所有者が、他のアクセスポイントのエリア内において利用端末を使用する場合に、該利用端末の正当性を認証するための端末認証手段と、
前記帯域を開放したアクセスポイントの所有者が、他のアクセスポイントのエリア内において利用端末を使用する場合に、該他のアクセスポイントに対して、前記登録された帯域と等価な帯域を当該利用端末に割り当てるように指示するための帯域確保通知手段と
を具備することを特徴とする無線ＬＡＮシステムのアクセス管理サーバ。
【請求項６】
前記アクセスポイントのエリア内に設備された中継用端末の所有者の会員登録を受け付けると共に、該会員の個人情報及び会員の所有する中継用端末に関する情報を登録するための会員登録手段と、
前記アクセスポイント及び中継用端末で開放される帯域の情報を登録するための帯域登録手段と、
前記中継用端末の所有者が他の中継用端末のエリア内において利用端末を使用する場合に、該利用端末及び中継用端末の認証を行うための端末認証手段と、
前記中継用端末の所有者が他の中継用端末のエリア内において利用端末を使用する場合に、該他の中継用端末に対して、前記登録された帯域と等価な帯域を当該利用端末に割り当てるように指示するための帯域確保通知手段と
をさらに具備することを特徴とする請求項５に記載の無線ＬＡＮシステムのアクセス管理サーバ。
【請求項７】
利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバによるアクセス管理方法であって、
前記帯域を開放するアクセスポイントの所有者の会員登録を受け付けると共に、該会員の個人情報及び会員の所有するアクセスポイントに関する情報を登録するための会員登録手順と、
前記アクセスポイントで提供される帯域の情報を登録するための帯域登録手順と、
前記利用端末から前記アクセスポイントを介した接続要求を受け付けた場合に、該利用端末の認証を行うための端末認証手順と、
前記端末認証手順による利用端末の認証が正常に行われた場合に、前記アクセスポイントに対して、当該利用端末による帯域の利用を許可するように通知するための利用許可通知手順と
を含むことを特徴とするアクセス管理方法。
【請求項８】
利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバによるアクセス管理方法であって、
前記帯域を開放するアクセスポイントの所有者の会員登録を受け付けると共に、該会員の個人情報及び会員の所有するアクセスポイントに関する情報を登録するための会員登録手順と、
前記アクセスポイントで開放される帯域の情報を登録するための帯域登録手順と、
前記帯域を提供したアクセスポイントの所有者が、他のアクセスポイントのエリア内において利用端末を使用する場合に、該利用端末の正当性を認証するための端末認証手順と、
前記帯域を開放したアクセスポイントの所有者が、他のアクセスポイントのエリア内において利用端末を使用する場合に、該他のアクセスポイントに対して、前記登録された帯域と等価な帯域を当該利用端末に割り当てるように指示するための帯域確保通知手順と
を含むことを特徴とするアクセス管理方法。
【請求項９】
利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバ内のコンピュータに、
前記帯域を開放するアクセスポイントの所有者の会員登録を受け付けると共に、該会員の個人情報及び会員の所有するアクセスポイントに関する情報を登録するための会員登録手順と、
前記アクセスポイントで提供される帯域の情報を登録するための帯域登録手順と、
前記利用端末から前記アクセスポイントを介した接続要求を受け付けた場合に、該利用端末の認証を行うための端末認証手順と、
前記端末認証手順による利用端末の認証が正常に行われた場合に、前記アクセスポイントに対して、当該利用端末による帯域の利用を許可するように通知するための利用許可通知手順と
を実行させるためのプログラム。
【請求項１０】
利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバ内のコンピュータに、
前記帯域を開放するアクセスポイントの所有者の会員登録を受け付けると共に、該会員の個人情報及び会員の所有するアクセスポイントに関する情報を登録するための会員登録手順と、
前記アクセスポイントで開放される帯域の情報を登録するための帯域登録手順と、
前記帯域を提供したアクセスポイントの所有者が、他のアクセスポイントのエリア内において利用端末を使用する場合に、該利用端末の正当性を認証するための端末認証手順と、
前記帯域を開放したアクセスポイントの所有者が、他のアクセスポイントのエリア内において利用端末を使用する場合に、該他のアクセスポイントに対して、前記登録された帯域と等価な帯域を当該利用端末に割り当てるように指示するための帯域確保通知手順と
を実行させるためのプログラム。
【発明の詳細な説明】
【０００１】
【発明の属する技術分野】
本発明は、アクセスポイントを使用したホットスポットやアドホックモードを使用した無線ＬＡＮシステムのアクセス管理サーバ、及びアクセス管理方法に関するものである。
【０００２】
【従来の技術】
近時、無線ＬＡＮ技術（ＩＥＥＥ８０２．１１ｂ規格）を応用したシステムの発展が著しい。この無線ＬＡＮ技術を利用することにより、インターネットアクセスや、ワイヤレスＩＰ電話機の利用が可能になるなど将来性が大いに期待されている。
図１４は、このような無線ＬＡＮを用いたシステムの形態を説明するための図であり、ＩＰ網（インターネット網を含む）１０１などの通信ネットワークには、ＩＰ−ＰＢＸ（ＩＰ交換機：ＩＰ網と構内ＬＡＮを接続する交換機）を使用した構内エリア１１０、１２０が接続されると共に、ワイヤレスルータ１３１を用いた家庭内エリア１３０が接続される。また、構内エリア１１０、１２０には有線によるＬＡＮの他に、アクセスポイント１１１、１２１が設けられ無線ＬＡＮ機器が使用できるように構成されている。
【０００３】
また、ＩＰ網１０１には、アクセスポイント１４１を使用したホットスポットエリア１４０が設けられ、このホットスポットエリア１４０を利用することにより、誰でもＩＰ電話機の使用や、インターネットへのアクセスができるようになる。このホットスポットエリア１４０は通信事業者が設備するホットスポットであり、通信事業者はファーストフードの店内や、図書館等の公共の空間にアクセスポイント１４１を設置してインターネットアクセスサービスなどを提供している。
【０００４】
また、図１５に示すように、最近は個人が開設するホットスポットエリア１５０も開設されようになってきた。個人が開設するホットスポットエリア１５０には、喫茶店のオーナーなどが店内にアクセスポイント１５１を設置し、店内の客にインターネットアクセスサービスを提供するなどの例がある。
【０００５】
また、最近はホットスポットエリア１４０、１５０に、アクセスポイント１４１、１５１の他に、中継用端末１４２、１５２を設備してアドホックエリア１４３、１５３を設ける例も増加している。なお、アドホックエリアとは、アクセスポイントを使用することなく、中継用端末を使用して、ごく少数の範囲で通信を行うエリアのことをいう。
【０００６】
【発明が解決しようとする課題】
以上、ＩＰ電話機の使用やインターネットアクセスができるなど、その将来性が大いに期待される無線ＬＡＮであるが、その普及のためには、アクセスポイントを多数設置し、そのエリアを拡大しユーザの利便性の向上を図ることが最重要課題である。
しかし、通信事業者はビジネスベースでアクセスポイントを設置するために、エリアの拡大には限界があり、個人が開設するホットスポットエリアの拡大に期待するところが大きい。現在はＡＤＳＬの普及により、家庭内においても常時接続の環境が整いつつあり、ＡＤＳＬ回線の端末にアクセスポイントを接続すれば、他人も利用できるようになるが、現在のところは、家庭内のアクセスポイントを利用するためのビジネスモデルやシステムが確立されておらず、その実現が大いに期待されている。
【０００７】
本発明はこのような問題を解決するためになされたもので、その目的は、個人が開設するホットスポットエリア及びアドホックエリアの拡大を促進をすることを可能にする、無線ＬＡＮシステムのアクセス管理サーバ、及びアクセス管理方法を提供することにある。
【０００８】
【課題を解決するための手段】
本発明は上記課題を解決するためになされたものであり、本発明の無線ＬＡＮシステムのアクセス管理サーバは、利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバであって、前記帯域を開放するアクセスポイントの所有者の会員登録を受け付けると共に、該会員の個人情報及び会員の所有するアクセスポイントに関する情報を登録するための会員登録手段と、前記アクセスポイントで提供される帯域の情報を登録するための帯域登録手段と、前記利用端末から前記アクセスポイントを介した接続要求を受け付けた場合に、該利用端末の認証を行うための端末認証手段と、前記端末認証手段による利用端末の認証が正常に行われた場合に、前記アクセスポイントに対して、当該利用端末による帯域の利用を許可するように通知するための利用許可通知手段とを具備することを特徴とする。
これにより、利用者は利用端末を使用して、個人が開局するホットスポットエリアでインターネットアクセスサービスなどを利用できる。また、第三者に帯域を開放する個人は、自分が設備したアクセス回線を有効利用することができる。
【０００９】
また、本発明の無線ＬＡＮシステムのアクセス管理サーバは、前記アクセスポイントにおける利用度数の情報と、前記利用端末における利用度数の情報を所定の期間ごとに受信するための利用度数受信手段と、前記アクセスポイントにおける利用度数の情報と、前記利用端末における利用度数の情報を突き合わせて確認するための利用度数情報確認手段と、前記アクセスポイントの利用度数に応じて、前記アクセスポイントの所有者に還元するための、会員の会費収入からの分配金額を所定の基準により算出するための分配金額算出手段とをさらに具備することを特徴とする。
これにより、会費収入からの分配金が還元され、個人によるホットスポットの開設の動機付けが行え、サービスエリアの拡大が促され利用者の利便性が向上する。また、アクセスポイントと利用端末でトラヒックの度数管理を行うので、サーバへの負荷の集中を回避できる。
【００１０】
また、本発明の無線ＬＡＮシステムのアクセス管理サーバは、利用可能な帯域の全部または一部を利用端末に開放する中継用端末と、利用可能な帯域の全部または一部を前記中継用端末に開放するアクセスポイントと、前記アクセスポイントと通信ネットワークを介して接続されると共に前記アクセスポイント及び中継用端末が開放する帯域の情報を登録し管理するためのアクセス管理サーバとを有する無線ＬＡＮシステムにおける前記アクセス管理サーバであって、前記アクセスポイント及び中継用端末の所有者の会員登録を受け付けると共に、該会員の個人情報及び会員の所有するアクセスポイント及び中継用端末に関する情報を登録するための会員登録手段と、前記アクセスポイント及び中継用端末で開放される帯域の情報を登録するための帯域登録手段と、前記利用端末から前記中継用端末及びアクセスポイントを介した接続要求を受け付けた場合に、該利用端末及び中継用端末の認証を行うための端末認証手段と、前記端末認証手段による利用端末及び中継用端末の認証が正常に行われた場合に、前記アクセスポイント及び中継用端末に対して、当該利用端末による帯域の利用を許可するように通知するための利用許可通知手段とを具備することを特徴とする。
これにより、利用者は利用端末を使用して、個人が開局する中継用端末のエリア内でインターネットへのアクセスサービスなどを利用できる。また、第三者に帯域を開放する個人は、自分が設備したアクセス回線を有効利用することができる。
【００１１】
また、本発明の無線ＬＡＮシステムのアクセス管理サーバは、前記アクセスポイントにおける利用度数の情報と、前記中継用端末における利用度数の情報と、前記利用端末における利用度数の情報を所定の期間ごとに受信するための利用度数受信手段と、前記アクセスポイントにおける利用度数の情報と、前記中継用端末における利用度数の情報と、前記利用端末における利用度数の情報を突き合わせて確認するための利用度数情報確認手段と、前記利用度数に応じて、前記アクセスポイントの所有者及び中継用端末の所有者に還元するための、会員の会費収入からの分配金額を所定の基準により算出するための分配金額算出手段とをさらに具備することを特徴とする。
これにより、会費収入からの分配金が還元され、個人によるホットスポットや中継用端末の開設の動機付けが行え、サービスエリアの拡大が促され利用者の利便性が向上する。また、アクセスポイントと、中継用端末と、利用端末でトラヒックの度数管理を行うので、サーバへの負荷の集中を回避できる。
【００１２】
また、本発明の無線ＬＡＮシステムのアクセス管理サーバは、利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバであって、前記帯域を開放するアクセスポイントの所有者の会員登録を受け付けると共に、該会員の個人情報及び会員の所有するアクセスポイントに関する情報を登録するための会員登録手段と、前記アクセスポイントで開放される帯域の情報を登録するための帯域登録手段と、前記帯域を提供したアクセスポイントの所有者が、他のアクセスポイントのエリア内において利用端末を使用する場合に、該利用端末の正当性を認証するための端末認証手段と、前記帯域を開放したアクセスポイントの所有者が、他のアクセスポイントのエリア内において利用端末を使用する場合に、該他のアクセスポイントに対して、前記登録された帯域と等価な帯域を当該利用端末に割り当てるように指示するための帯域確保通知手段とを具備することを特徴とする。
これにより、利用者は利用端末を使用して、他人が開局するホットスポットエリアでインターネットへのアクセスサービスなどを利用できる。また、他のアクセスポイントに利用権を確保できることから、個人によるホットスポットの開設と帯域の開放の動機付けが行え、サービスエリアの拡大が促され、利用者の利便性が向上する。また、第三者に帯域を開放する個人は、自分が設備したアクセス回線を有効利用することができる。またさらに、アクセスポイントでのトラヒック量を管理する手間が省けると共に、清算処理が不要となるので、サーバのシステム構成がシンプル（簡略）となり、運用コストも低減できる。
【００１３】
また、本発明の無線ＬＡＮシステムのアクセス管理サーバは、前記アクセスポイントのエリア内に設備された中継用端末の所有者の会員登録を受け付けると共に、該会員の個人情報及び会員の所有する中継用端末に関する情報を登録するための会員登録手段と、前記アクセスポイント及び中継用端末で開放される帯域の情報を登録するための帯域登録手段と、前記中継用端末の所有者が他の中継用端末のエリア内において利用端末を使用する場合に、該利用端末及び中継用端末の認証を行うための端末認証手段と、前記中継用端末の所有者が他の中継用端末のエリア内において利用端末を使用する場合に、該他の中継用端末に対して、前記登録された帯域と等価な帯域を当該利用端末に割り当てるように指示するための帯域確保通知手段とをさらに具備することを特徴とする。
これにより、利用者は他人が開局するアドホックエリアでインターネットへのアクセスサービスなどを利用できる。また、他の中継用端末の利用権を確保できることから、個人によるホットスポットと中継用端末の開設と帯域の開放の動機付けが行え、サービスエリアの拡大が促され利用者の利便性が向上する。また、第三者に帯域を開放する個人は、自分が設備したアクセス回線を有効利用することができる。またさらに、アクセスポイント及び中継用端末でのトラヒック量を管理する手間が省けると共に、清算処理が不要となるので、サーバのシステム構成がシンプルとなり、運用コストも低減できる。
【００１４】
また、本発明のアクセス管理方法は、利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバによるアクセス管理方法であって、前記帯域を開放するアクセスポイントの所有者の会員登録を受け付けると共に、該会員の個人情報及び会員の所有するアクセスポイントに関する情報を登録するための会員登録手順と、前記アクセスポイントで提供される帯域の情報を登録するための帯域登録手順と、前記利用端末から前記アクセスポイントを介した接続要求を受け付けた場合に、該利用端末の認証を行うための端末認証手順と、前記端末認証手順による利用端末の認証が正常に行われた場合に、前記アクセスポイントに対して、当該利用端末による帯域の利用を許可するように通知するための利用許可通知手順とを含むことを特徴とする。
これにより、利用者は利用端末を使用して、個人が開局するホットスポットエリアでインターネットアクセスサービスなどを利用できる。また、第三者に帯域を開放する個人は、自分が設備したアクセス回線を有効利用することができる。
【００１５】
また、本発明のアクセス管理方法は、利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバによるアクセス管理方法であって、前記帯域を開放するアクセスポイントの所有者の会員登録を受け付けると共に、該会員の個人情報及び会員の所有するアクセスポイントに関する情報を登録するための会員登録手順と、前記アクセスポイントで開放される帯域の情報を登録するための帯域登録手順と、前記帯域を提供したアクセスポイントの所有者が、他のアクセスポイントのエリア内において利用端末を使用する場合に、該利用端末の正当性を認証するための端末認証手順と、前記帯域を開放したアクセスポイントの所有者が、他のアクセスポイントのエリア内において利用端末を使用する場合に、該他のアクセスポイントに対して、前記登録された帯域と等価な帯域を当該利用端末に割り当てるように指示するための帯域確保通知手順とを含むことを特徴とする。
これにより、利用者は利用端末を使用して、他人が開局するホットスポットエリアでインターネットへのアクセスサービスなどを利用できる。また、他のアクセスポイントに利用権を確保できることから、個人によるホットスポットの開設と帯域の開放の動機付けが行え、サービスエリアの拡大が促され、利用者の利便性が向上する。また、第三者に帯域を開放する個人は、自分が設備したアクセス回線を有効利用することができる。またさらに、アクセスポイントでのトラヒック量を管理する手間が省けると共に、清算処理が不要となるので、サーバのシステム構成がシンプル（簡略）となり、運用コストも低減できる。
【００１６】
また、本発明のコンピュータプログラムは、利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバ内のコンピュータに、前記帯域を開放するアクセスポイントの所有者の会員登録を受け付けると共に、該会員の個人情報及び会員の所有するアクセスポイントに関する情報を登録するための会員登録手順と、前記アクセスポイントで提供される帯域の情報を登録するための帯域登録手順と、前記利用端末から前記アクセスポイントを介した接続要求を受け付けた場合に、該利用端末の認証を行うための端末認証手順と、前記端末認証手順による利用端末の認証が正常に行われた場合に、前記アクセスポイントに対して、当該利用端末による帯域の利用を許可するように通知するための利用許可通知手順とを実行させるためのプログラムである。
【００１７】
また、本発明のコンピュータプログラムは、利用可能な帯域の全部または一部を他の利用端末に開放するアクセスポイントと、該アクセスポイントと通信ネットワークを介して接続されると共に該アクセスポイントが開放する帯域の情報を登録し管理するためのアクセス管理サーバとを有する無線ＬＡＮシステムにおける前記アクセス管理サーバ内のコンピュータに、前記帯域を開放するアクセスポイントの所有者の会員登録を受け付けると共に、該会員の個人情報及び会員の所有するアクセスポイントに関する情報を登録するための会員登録手順と、前記アクセスポイントで開放される帯域の情報を登録するための帯域登録手順と、前記帯域を提供したアクセスポイントの所有者が、他のアクセスポイントのエリア内において利用端末を使用する場合に、該利用端末の正当性を認証するための端末認証手順と、前記帯域を開放したアクセスポイントの所有者が、他のアクセスポイントのエリア内において利用端末を使用する場合に、該他のアクセスポイントに対して、前記登録された帯域と等価な帯域を当該利用端末に割り当てるように指示するための帯域確保通知手順とを実行させるためのプログラムである。
【００１８】
【発明の実施の形態】
次に本発明の実施の形態例について図面を参照して説明する。
【００１９】
本発明によるサービスの形態としては、アクセス系サービスと中継系サービスがある。両サービスとも会員制を前提とし、会員になるためには会費を納めるものとする。
【００２０】
［サービス形態］
（１）アクセス系サービス
アクセス系サービスは、図１の収入分配モデルのアクセス系サービスについて説明するための図に示すように、登録した会員１が利用端末１ａから、別の登録会員３が所有するアクセスポイント３ａを利用して、ＩＰ網（インターネット網を含む）４などの通信ネットワークにアクセスし、アクセス管理サーバ（単に「サーバ」ともいう）１０の管理の基に、相手端末５と通信を行うことを可能にするサービスである。なお、利用端末１ａとしては、無線ＬＡＮ機能を有するパーソナルコンピュータ、ＰＤＡなどの携帯端末、ＩＰ電話機などが使用できる。
（２）中継系サービス
また、中継系サービスは、図２の収入分配モデルの中継系サービスについて説明するための図に示すように、登録した会員１が利用端末１ａから、別の登録会員２が所有する中継用端末２ａを介して、さらに別の登録会員３が所有するアクセスポイント３ａを利用してＩＰ網４などの通信ネットワークにアクセスし、サーバ１０の管理の基に、相手端末５と通信を行うことを可能にするサービスである。なお、中継用端末２ａとしては、無線ＬＡＮ中継機能を有するパーソナルコンピュータ、ＰＤＡ等の携帯端末、ＩＰ電話機等が使用できる。
【００２１】
また、アクセス系サービス及び中継系サービスを運用するビジネスモデルには、利用トラヒックに応じて収入を分配するモデルと、帯域を交換するモデルがある。
【００２２】
［利用トラヒックに応じて収入を分配するモデル］
このモデルは、図１及び図２に示すアクセスポイント３ａ、中継用端末２ａ及び利用端末１ａにおいて、利用度数を通信毎に記録しておき、定期的（例えば、１ヶ月毎）に、利用度数の総額を計算し、トラヒックに応じて会費収入を分配するモデルである。この「利用トラヒックに応じて収入を分配するモデル」には、以下の特徴がある。
・アクセスポイント３ａ、中継用端末２ａ及び利用端末１ａでの利用トラヒックの度数管理を行い、通信毎に利用度数の情報がサーバ１０に流れないようにして、サーバ１０の過負荷を押さえている。
・すべてのアクセスポイント３ａ、中継用端末２ａ及び利用端末１ａから「利用状況」を定期的（例えば、月１回）に申告させ、それらから得た情報をクロスチェックにより突き合わせして、不正申告や誤りを抑制する。
・利用トラヒックに応じて会費収入の分配額を決定する。
・会費収入の還元により、会員に対して帯域提供やエリア拡大のインセンティブ（行動を促す動機付け）を設けることができる。
【００２３】
以下、利用トラヒックに応じて収入を分配するモデルにおける、アクセス系サービスと中継系サービスの２種類の場合について説明する。
【００２４】
１．アクセス系サービスの場合
最初に、アクセス系サービスにおける利用トラヒックに応じて収入を分配するモデルについて説明する。
アクセス系サービスのシステム構成は、先に説明したように、図１に示すシステム構成となり、ＩＰ網４に接続されるサーバ１０、登録した会員３が所有するアクセスポイント３ａ、登録した会員１が所有する利用端末１ａ、及び相手端末５から構成される。
また、サーバ１０は、以下の機能を有する。
・会員登録機能２１は、利用可能な帯域の全部または一部を他の利用端末１ａに開放するアクセスポイント３ａの所有者の会員登録を受け付けると共に、該会員３の個人情報及び会員３の所有するアクセスポイント３ａ及び会員１の所有する利用端末１ａに関する情報を会員管理データベース（会員管理ＤＢ）１１に登録するための機能である。
・帯域登録機能２２は、アクセスポイント３ａが開放（提供）する帯域（例えば、６４Ｋｂｐｓなど）の情報を帯域管理データベース（帯域管理ＤＢ）１２に登録するための機能である。
・端末認証機能２３は、利用端末１ａからアクセスポイント３ａを介して接続要求を受け付けた場合に、会員管理ＤＢ１１を参照して、該利用端末１ａの認証を行うための機能である。
・利用許可通知機能２４は、端末認証機能２３による利用端末１ａの認証が正常に行われた場合に、アクセスポイント３ａに対して帯域の利用を許可するように通知するための機能である。
・利用度数受信機能２５は、アクセスポイント３ａにおける利用度数の情報と、利用端末１ａにおける利用度数の情報を所定の期間ごとに受信するための機能である。
・利用度数情報確認機能２６は、アクセスポイント３ａにおける利用度数の情報と、利用端末１ａにおける利用度数の情報を突き合わせてチェックするための機能である。
・分配金額算出機能２７は、アクセスポイント３ａの利用度数に応じて、該アクセスポイント３ａの所有者に還元する、会員の会費収入からの分配金額を所定の基準により算出するための機能である。
【００２５】
また、会員管理ＤＢ１１、帯域管理ＤＢ１２、及び利用状況管理ＤＢ１３には、上記各機能を実行する際に必要となるデータが記録されており、会員管理ＤＢ１１に記録されるデータの内容を図１１に、帯域管理ＤＢ１２に記録されるデータの内容を図１２に、利用状況管理ＤＢ１３に記録されるデータの内容を図１３に示す。
【００２６】
また、図５は、利用トラヒックに応じて収入を分配するモデルにおけるアクセス系サービスの処理手順について説明するための図であり、以下、図５を基に、アクセス系サービスにおける、利用トラヒックに応じて収入を分配する手順について説明する。
（１）利用端末１ａからサーバ１０に接続要求を出す（ステップＳ１）。
（２）サーバ１０は、会員１の利用端末１ａからの接続要求を受け付けると、サーバ１０と利用端末１ａ間で利用端末１ａの端末認証を行う（ステップＳ２）。
（３）端末認証がＯＫ（正当性の確認）であれば、サーバ１０の会員管理ＤＢ１１を参照して、接続要求を行った会員１の会員資格の確認（例えば、会費の滞納チェック）を行う（ステップＳ３）。会員資格の確認が正常に行われた場合は、アクセスポイント３ａに対して利用許可を通知する（ステップＳ４）。
（４）アクセスポイント３ａでは、利用端末１ａに対して、必要な帯域を開放し割り当て（ステップＳ５）、利用端末１ａと相手端末５との間で通信を行うことができる（ステップＳ６）。
（５）通信を終了すると、利用端末１ａとアクセスポイント３ａでは「利用度数」を記録しておく（ステップＳ７、Ｓ８）。
（６）サーバ１０では、定期的（例えば、毎月１回）に「利用度数」の報告要求をアクセスポイント３ａ、利用端末１ａに対して発出する（ステップＳ９、Ｓ１１）。
（７）「利用度数の報告要求」を受けたアクセスポイント３ａは、１ヶ月間の利用端末１ａごとの利用時間、利用帯域をサーバ１０に通知する（ステップＳ１０）。
（８）また、「利用度数の報告要求」を受けた利用端末１ａは、１ヶ月間の利用状況について、利用したアクセスポイント３ａごとに、その利用時間、利用帯域をサーバ１０に通知する（ステップＳ１２）。
（９）サーバ１０では、サーバ１０に通知された全アクセスポイント３ａと全利用端末１ａの利用状況の情報を突き合わせ（クロスチェック）し、報告について不正や誤りがないことを確認する。また、全体の利用総数に対するアクセスポイント３ａの利用比率を求め、会費収入の分配額を算出する。また、分配額をアクセスポイント３ａの各所有者に還元する（ステップＳ１３）。
【００２７】
２．中継系サービスの場合
次に、中継系サービスにおける利用トラヒックに応じて収入を分配するモデルについて説明する。
【００２８】
中継系サービスのシステム構成は、先に説明したように、図２に示すシステム構成となり、ＩＰ網４及びＩＰ網４に接続されたサーバ１０、会員１の所有する利用端末１ａ、会員２が所有する中継用端末２ａ、会員３が所有するアクセスポイント３ａ、相手端末５から構成される。
また、サーバ１０には以下の機能が含まれる。
・会員登録機能２１ａは、利用可能な帯域の全部または一部を他の中継用端末２ａに開放するアクセスポイント３ａの所有者（会員３）と、利用可能な帯域の全部または一部を他の利用端末１ａに開放する中継用端末２ａの所有者（会員２）の会員登録を受け付けると共に、該会員の個人情報及び会員の所有するアクセスポイント３ａ及び中継用端末２ａ及び利用端末１ａに関する情報を会員管理ＤＢ１１に登録するための機能である。
・帯域登録機能２２ａは、アクセスポイント３ａが開放（提供）する帯域の情報と、中継用端末２ａが開放する帯域の情報を帯域管理ＤＢ１２に登録するための機能である。
・端末認証機能は前２３ａは、利用端末１ａから中継用端末２ａ及びアクセスポイント３ａを介して接続要求を受け付けた場合に、該利用端末１ａ及び中継用端末２ａの認証を行うための機能である。
・利用許可通知機能２４ａは、端末認証機能２３ａによる利用端末１ａ及び中継用端末２ａの認証が正常に行われた場合に、アクセスポイント３ａと中継用端末２ａに対して帯域の利用を許可するように通知するための機能である。
・利用度数受信機能２５ａは、アクセスポイント３ａにおける利用度数の情報と、中継用端末２ａにおける利用度数の情報と、利用端末１ａにおける利用度数の情報を所定の期間ごとに受信するための機能である。
・利用度数情報確認機能２６ａは、アクセスポイント３ａにおける利用度数の情報と、中継用端末２ａにおける利用度数の情報と、利用端末１ａにおける利用度数の情報を突き合わせてチェックするための機能である。
・分配金額算出機能２７ａは、アクセスポイント３ａ及び中継用端末２ａの利用度数に応じて、該アクセスポイント３ａ及び中継用端末２ａの所有者に対して還元する、会員の会費収入からの分配金額を所定の基準により算出するための機能である。
【００２９】
また、会員管理ＤＢ１１に記録されるデータの内容を図１１に、帯域管理ＤＢ１２に記録されるデータの内容を図１２に、利用状況管理ＤＢ１３に記録されるデータの内容を図１３に示す。
【００３０】
また、図６は、利用トラヒックに応じて収入を分配するモデルにおける中継系サービスの処理手順について説明するための図であり、以下、図６を基に、中継系サービスにおける、利用トラヒックに応じて収入を分配する手順について説明する。
（１）利用端末１ａからサーバ１０に接続要求を出す（ステップＳ２１）。
（２）サーバ１０は利用端末１ａからの接続要求を受け付けると、サーバ１０と利用端末１ａ間、及びサーバ１０と中継用端末２ａ間で端末認証を行う（ステップＳ２２、Ｓ２３）。
【００３１】
（３）端末認証がＯＫ（正常に認証）であれば、サーバ１０の会員管理ＤＢ１１を参照して、接続要求を行った利用者（会員１）及び中継用端末２ａを所有する会員２の会員資格の確認（例えば、会費の滞納チェック）を行う（ステップＳ２４）。会員資格の確認が正常に行われた場合は、アクセスポイント３ａと中継用端末２ａに対して利用許可を通知する（ステップＳ２５、Ｓ２７）。
（４）アクセスポイント３ａでは、中継用端末２ａに対して必要な帯域を開放し割り当て（ステップＳ２６）、中継用端末２ａは利用端末１ａに対して必要な帯域を開放し割り当て（ステップＳ２８）、利用端末１ａと相手端末５との間で通信を行うことができる（ステップＳ２９）。
（５）通信を終了すると、利用端末１ａと、中継用端末２ａと、アクセスポイント３ａでは「利用度数」を記録しておく（ステップＳ３０、Ｓ３１、Ｓ３２）。
（６）サーバ１０では、定期的（例えば、毎月１回）に「利用度数」の報告要求をアクセスポイント３ａ、中継用端末２ａ、利用端末１ａに対して発出する（ステップＳ３３、Ｓ３５、Ｓ３７）。
（７）「利用度数の報告要求」を受けたアクセスポイント３ａは、１ヶ月間の利用端末１ａ及び中継用端末２ａごとの利用時間、利用帯域をサーバ１０に通知する（ステップＳ３４）。
【００３２】
（８）また、サーバ１０から「利用度数の報告要求」を受けた中継用端末２ａは、１ヶ月間の利用状況について、利用したアクセスポイント３ａ及び帯域を提供した利用端末１ａごとに、その利用時間、利用帯域をサーバ１０に通知する（ステップＳ３６）。
（９）また、「利用度数の報告要求」を受けた利用端末１ａは、１ヶ月間の利用状況について、利用した中継用端末２ａごとに、その利用時間、利用帯域をサーバ１０に通知する（ステップＳ３８）。
（１０）サーバ１０では、サーバ１０に通知された全アクセスポイント３ａと、全中継用端末２ａと、全利用端末１ａの利用状況の情報を突き合わせ（クロスチェック）し、報告について不正や誤りがないことを確認する。
（１１）また、全体の利用総数に対するアクセスポイント３ａ及び中継用端末２ａの利用比率を求め、会費収入の分配額を算出する。また、分配額を各アクセスポイント３ａの所有者、及び各中継用端末２ａの所有者に還元する。
【００３３】
［帯域を交換するモデル］
このモデルには、以下のような機能が含まれている。
・個人（会員）が開設するホットスポット（アクセスポイントのエリア）において、自分が所有する設備（アクセスポイント）の帯域の一部を第三者に開放することにより、自分が他のアクセスポイントに行った場合に、自設備で提供した帯域分だけを利用できるようにする。また、第三者に開放する帯域を予めサーバ１０に登録しておく。帯域の提供者が別のアクセスポイントを利用するときは、サーバ１０に登録してある帯域を参照して、帯域の割り当てを行う。
・中継系サービスでは、自分の中継用端末の中継機能が備える帯域の一部を第三者に開放することにより、その対価として別の場所で他人の中継用端末の帯域の一部を利用して、アクセスポイントのエリア外から通信できる。
・この帯域交換モデルでは、利用トラヒックに応じて収入を分配するモデルに比べて、アクセスポイントや各端末における利用度数の記録機能が不要になるとともに、サーバ１０側においても利用度数のチェックや、分配額計算の機能が不要になり、シンプルなシステム構成を実現できる。
・また、他のアクセスポイントの利用権を与えることにより、会員に対して帯域提供やエリア拡大のインセンティブを設けることができる。
【００３４】
以下、帯域を交換するモデルについて、アクセス系サービスと中継系サービスの場合について説明する。
【００３５】
１．アクセス系サービスの場合
最初に、「帯域を交換するモデル」のアクセス系サービスについて説明する。アクセス系サービスのシステム構成は、図３に示すシステム構成となり、ＩＰ網４に接続されるサーバ１０、会員３が所有するアクセスポイント３ａ、会員１が所有する利用端末１ａ、及び相手端末５から構成される。
また、サーバ１０には以下の機能が含まれる。
・会員登録機能３１は、利用可能な帯域の全部または一部を他の利用端末に開放するアクセスポイント３ａの所有者（会員３）の会員登録を受け付けると共に、該会員３の個人情報及び会員３の所有するアクセスポイント３ａ及び会員１の所有する利用端末１ａに関する情報を会員管理ＤＢ１１に登録するための機能である。
・帯域登録機能３２は、アクセスポイント３ａが開放（提供）する帯域の情報を帯域管理ＤＢ１２に登録するための機能である。
・端末認証機能３３は、利用端末１ａからアクセスポイント３ａを介して接続要求を受け付けた場合に、該利用端末１ａの認証を行うための機能である。
・帯域確保通知機能３４は、帯域を開放したアクセスポイント３ａの所有者３が、他のアクセスポイントのエリア内において利用端末１ａを使用する場合に、該他のアクセスポイントに対して、開放された帯域と等価な帯域を割り当てるよう指示するための機能である。
【００３６】
また、図７は、「帯域を交換するモデル」におけるアクセス系サービスの処理手順について説明するための図であり、以下、図７を基に、アクセス系サービスにおける帯域交換の処理手順について説明する。
【００３７】
（１）アクセスポイント３ａの所有者（会員３）は、事前に自分が開放（提供）する帯域をサーバ１０に通知し、サーバ１０の帯域管理ＤＢ１２に登録しておく（ステップＳ４１）。
（２）アクセスポイント３ａの所有者が別の場所に行き、利用端末１ａの立場でＩＰ網４にアクセスする場合には、まず利用端末１ａからサーバ１０に接続要求を出す（ステップＳ４２）。
（３）サーバ１０は、利用端末１ａからの接続要求を受け付けると、サーバ１０と利用端末１ａ間で利用端末１ａの端末認証を行う（ステップＳ４３）。
（４）端末認証がＯＫ（正常に認証）であれば、サーバ１０の会員管理ＤＢ１１を参照して、接続要求を行った利用者の会員資格を確認（例えば、会費の滞納チェック）し、また利用可能な帯域を確認する（ステップＳ４４）。
（５）会員資格の確認が正常に行われた場合は、アクセスポイント３ａに対して利用許可を通知する（ステップＳ４５）。
（６）アクセスポイント３ａでは、利用端末１ａに対して、必要な帯域を開放し割り当て（ステップＳ４６）、利用端末１ａと相手端末５との間で通信を行う（ステップＳ４７）。
【００３８】
２．中継系サービスの場合
次に、「帯域を交換するモデル」の中継系サービスについて説明する。
【００３９】
中継系サービスのシステム構成は、図４に示すシステム構成となり、ＩＰ網４及びＩＰ網４に接続されるサーバ１０、会員１の所有する利用端末１ａ、会員２が所有する中継用端末２ａ、会員３が所有するアクセスポイント３ａ、及び相手端末５から構成される。
また、サーバ１０には以下の機能が含まれる。
・会員登録機能３１ａは、利用可能な帯域の全部または一部を他の中継用端末２ａに開放するアクセスポイント３ａの所有者（会員３）と、利用可能な帯域の全部または一部を他の利用端末１ａに開放する中継用端末２ａの所有者（会員２）の会員登録を受け付けると共に、該会員の個人情報及び会員の所有するアクセスポイント３ａ及び中継用端末２ａ及び利用端末１ａに関する情報を会員管理ＤＢ１１に登録するための機能である。
・帯域登録機能３２ａは、アクセスポイント３ａが開放（提供）する帯域の情報と、中継用端末２ａが開放する帯域の情報を帯域管理ＤＢ１２に登録するための機能である。
・端末認証機能３３ａは、利用端末１ａから、中継用端末２ａ及びアクセスポイント３ａを介して、接続要求を受け付けた場合に、該利用端末１ａ及び中継用端末２ａの認証を行うための機能である。
・帯域確保通知機能３４ａは、帯域を開放した中継用端末２ａの所有者が、他の中継用端末のエリア内において利用端末を使用する場合に、該他の中継用端末に対して、開放された帯域と等価な帯域を割り当てるよう指示するための機能である。
【００４０】
また、図８は、「帯域を交換するモデル」における中継系サービスの処理手順について説明するための図であり、以下、図８を基に、中継系サービスにおける帯域交換の処理手順について説明する。
【００４１】
（１）アクセスポイント３ａの所有者（会員３）及び中継用端末２ａの所有者（会員３）は、事前に自分が提供する帯域をサーバ１０に通知し、サーバ１０の帯域管理ＤＢ１２に登録しておく（ステップＳ５１、Ｓ５２）。
（２）アクセスポイント３ａの所有者または中継用端末２ａの所有者が別の場所に行き、利用端末１ａの立場でＩＰ網４にアクセスする場合には、まず利用端末１ａからサーバ１０に接続要求を出す（ステップＳ５３）。
（３）サーバ１０は、利用端末１ａからの接続要求を受け付けると、サーバ１０と中継用端末２ａ間、及びサーバ１０と利用端末１ａ間で端末認証を行う（ステップＳ５４、Ｓ５５）。
（４）端末認証がＯＫ（正常に認証）であれば、サーバ１０の会員管理ＤＢ１１を参照して、接続要求を行った利用者（会員１）及び中継用端末２ａの所有者（会員２）の会員資格を確認（例えば、会費の滞納チェック）し、また利用可能な帯域を確認する（ステップＳ５６）。
（５）会員資格の確認が正常に行われた場合は、アクセスポイント３ａと中継用端末２ａに対して、「帯域確保」を指示する（ステップＳ５７、Ｓ５９）。
（６）アクセスポイント３ａは中継用端末２ａに対して必要な帯域を開放するとともに、中継用端末２ａは利用端末１ａに対して必要な帯域を開放し（ステップＳ５８、Ｓ６０）、利用端末１ａと相手端末５との間で通信を行う（ステップＳ６１）。
【００４２】
以上、帯域を交換するモデルについて、アクセス系サービスの場合と、中継系サービスの場合について説明したが、これらアクセス系サービスと中継系サービスが混在した形態でサービスを提供することもできる。なお、この場合の処理手順は、「１．アクセス系サービス」及び「２．中継系サービス」で示した処理手順に準ずる。
【００４３】
３．アクセスポイントの位置情報の提供
また、アクセスポイント３ａからサーバ１０に「帯域登録」が行われた場合に、アクセスポイント３ａの位置情報をサービスエリア情報提供用サーバに自動登録し、これにより、利用者はサービスエリア閲覧用ブラウザ端末から、サービスエリア情報提供用サーバにアクセスして、利用できるサービスエリアを知るようにすることもできる。
図９は、アクセス系サービスにおけるアクセスポイントの位置情報の提供の手順を示す図であり、以下のようにして、位置情報を提供する。
（１）アクセスポイント３ａの所有者が、事前に自分が提供する帯域をサーバ１０に通知し、サーバ１０の帯域管理ＤＢ１２に登録する（ステップＳ４１）。
（２）サーバ１０からサービスエリア情報提供用サーバ６に、帯域管理ＤＢ１２に登録されたアクセスポイント３ａの位置情報を通知する（ステップＳ４８）。
（３）サービスエリア情報提供用サーバ６では、サービスエリア閲覧用ブラウザ端末７から「アクセスポイントの位置情報の閲覧要求」があった場合には、「アクセスポイントの位置情報」をサービスエリア閲覧用ブラウザ端末７に通知し、（ステップＳ４９）、サービスエリア閲覧用ブラウザ端末７では地図上にアクセスポイントを表示する（ステップＳ５０）。
【００４４】
また、図１０は、中継系サービスにおけるアクセスポイントの位置情報の提供の手順を示す図であり、以下のようにして、位置情報を提供する。
（１）アクセスポイント３ａの所有者が、事前に自分が提供する帯域をサーバ１０に通知し、サーバ１０の帯域管理ＤＢ１２に登録する（ステップＳ５１）。
（２）サーバ１０からサービスエリア情報提供用サーバ６に、帯域管理ＤＢ１２に登録されたアクセスポイント３ａの位置情報を通知する（ステップＳ６２）。
（３）サービスエリア情報提供用サーバ６では、サービスエリア閲覧用ブラウザ端末７から「アクセスポイントの位置情報の閲覧要求」があった場合には、「アクセスポイントの位置情報」をサービスエリア閲覧用ブラウザ端末７に通知し、（ステップＳ６３）、サービスエリア閲覧用ブラウザ端末７では地図上にアクセスポイントを表示する（ステップＳ６４）。
【００４５】
［データベースのデータ構成のデータ構成例］
また、図１１は会員管理ＤＢ１１のデータ構成例を示す図であり、会員管理ＤＢ１１には、以下に示すデータが記録される。
・会員ＩＤ
・会費の納入状況
・登録しているサービス種別（アクセス系サービス／中継系サービス）
・会員が所有する端末のＩＰアドレスまたは電話番号
・会員が所有するアクセスポイントのＩＰアドレス
・本人認証用のデータ
（利用端末または中継用端末のＭＡＣアドレス、アクセスポイントのＭＡＣアドレス、パスワード）
・会員が所有するアクセスポイントの位置情報（緯度、軽度）
【００４６】
また、図１２は帯域管理ＤＢ１２のデータ構成例を示す図であり、帯域管理ＤＢ１２には、以下に示すデータが記録される。
（ａ）アクセスポイントの帯域管理情報
・アクセスポイントのＩＰアドレス
・アクセスポイントが提供する帯域
・所有する会員のＩＤ
（ｂ）中継用端末の帯域管理情報
・中継用端末のＩＰアドレスまたは電話番号
・中継用端末が提供する帯域
・所有する会員のＩＤ
【００４７】
また、図１３は利用状況管理ＤＢのデータ構成例を示す図であり、利用状況管理ＤＢ１３には、以下に示すデータが記録される。
（ａ）アクセスポイントの利用状況の情報
・サービスを利用した端末（利用端末または中継用端末）のＩＰアドレスまたは電話番号
・サービス利用時刻（利用開始時間、終了時間）
・サービス利用帯域
（ｂ）中継用端末の利用状況の情報
・サービスを利用した端末（利用端末または中継用端末）のＩＰアドレスまたは電話番号
・接続先（中継用端末またはアクセスポイント）のＩＰアドレスまたは電話番号
・サービス利用時刻（利用開始時間、終了時間）
・サービス利用帯域
（ｃ）利用端末の利用状況の情報
・利用端末のＩＰアドレスまたは電話番号
・接続先（中継用端末またはアクセスポイント）のＩＰアドレスまたは電話番号
・サービス利用時刻（利用開始時間、終了時間）
・サービス利用地域
【００４８】
以上、本発明の実施の形態について説明したが、図１、図２、図３及び図４に示すサーバ１０内の各処理機能を実現するためのプログラムをコンピュータ読み取り可能な記録媒体に記録して、この記録媒体に記録されたプログラムをコンピュータシステムに読み込ませ、実行することにより各処理機能に必要な処理を行ってもよい。なお、ここでいう「コンピュータシステム」とは、ＯＳや周辺機器等のハードウェアを含むものとする。
【００４９】
また、「コンピュータシステム」は、ＷＷＷシステムを利用している場合であれば、ホームページ提供環境（あるいは表示環境）を含むものとする。また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００５０】
以上、本発明の実施の形態について説明したが、本発明の無線ＬＡＮシステムのアクセス管理サーバは、上述の図示例にのみ限定されるものではなく、本発明の要旨を逸脱しない範囲内において種々変更を加え得ることは勿論である。
【００５１】
【発明の効果】
以上説明したように、本発明の無線ＬＡＮシステムのアクセス管理サーバ及びアクセス管理方法においては、帯域を開放するアクセスポイントの所有者とアクセスポイントで開放（提供）される帯域の情報を登録し、利用端末から当該アクセスポイントを介した接続要求があった場合は、当該アクセスポイントに対して帯域の利用許可を指示し、利用端末に通信を行わせる。
これにより、利用者は利用端末を使用して、個人が開局するホットスポットエリアでインターネットアクセスサービスなどを利用できる。また、第三者に帯域を開放する個人は、自分が設備したアクセス回線を有効利用することができる。
【００５２】
また、本発明の無線ＬＡＮシステムのアクセス管理サーバにおいては、アクセスポイントにおける利用度数の情報と、利用端末における利用度数の情報を所定の期間ごとに収集し、アクセスポイントにおける利用度数に応じて、該アクセスポイントの所有者に対し、会費収入からの分配金を算出して還元する。
これにより、会費収入からの分配金が還元され、個人によるホットスポットの開設の動機付けが行え、サービスエリアの拡大が促され利用者の利便性が向上する。また、アクセスポイントと利用端末でトラヒックの度数管理を行うので、サーバへの負荷の集中を回避できる。
【００５３】
また、本発明の無線ＬＡＮシステムのアクセス管理サーバにおいては、帯域を開放するアクセスポイントの所有者と、帯域を開放する中継用端末の所有者と、該アクセスポイント及び中継用端末で開放される帯域の情報を登録し、利用端末から当該中継用端末及びアクセスポイントを介した接続要求があった場合は、当該アクセスポイント及び中継用端末に対し、帯域の利用を許可するように指示し、利用端末に通信を行わせる。
これにより、利用者は利用端末を使用して、個人が開局する中継用端末のエリア内でインターネットへのアクセスサービスなどを利用できる。また、第三者に帯域を開放する個人は、自分が設備したアクセス回線を有効利用することができ
【００５４】
また、本発明の無線ＬＡＮシステムのアクセス管理サーバにおいては、アクセスポイントにおける利用度数の情報と、中継用端末における利用度数の情報と、利用端末における利用度数の情報を所定の期間ごとに収集し、その利用度数に応じて、アクセスポイントの所有者及び中継用端末の所有者に、会費収入からの分配金を算出して還元する。
これにより、会費収入からの分配金が還元され、個人によるホットスポットや中継用端末の開設の動機付けが行え、サービスエリアの拡大が促され利用者の利便性が向上する。また、アクセスポイントと、中継用端末と、利用端末でトラヒックの度数管理を行うので、サーバへの負荷の集中を回避できる。
【００５５】
また、本発明の無線ＬＡＮシステムのアクセス管理サーバ及びアクセス管理方法においては、帯域を開放するアクセスポイントの所有者と、該アクセスポイントで開放される帯域の情報を登録する。そして、帯域を提供したアクセスポイントの所有者が、他のアクセスポイントにおいて利用端末を使用する場合には、該他のアクセスポイントに対し、前記登録された帯域と等価な帯域を当該利用端末に割り当てるように指示する。
これにより、利用者は利用端末を使用して、他人が開局するホットスポットエリアでインターネットへのアクセスサービスなどを利用できる。また、他のアクセスポイントに利用権を確保できることから、個人によるホットスポットの開設と帯域の開放の動機付けが行え、サービスエリアの拡大が促され、利用者の利便性が向上する。また、第三者に帯域を開放する個人は、自分が設備したアクセス回線を有効利用することができる。またさらに、アクセスポイントでのトラヒック量を管理する手間が省けると共に、清算処理が不要となるので、サーバのシステム構成がシンプル（簡略）となり、運用コストも低減できる。
【００５６】
また、本発明の無線ＬＡＮのアクセス管理サーバにおいては、アクセスポイントのエリア内に設備された中継用端末の所有者と、該中継用端末で開放される帯域の情報を登録する。そして、該中継用端末の所有者が、他の中継用端末のエリア内で利用端末を使用する場合には、該他の中継用端末に対し、前記登録された帯域と等価な帯域を当該利用端末に割り当てるように指示する。
これにより、利用者は他人が開局するアドホックエリアでインターネットへのアクセスサービスなどを利用できる。また、他の中継用端末の利用権を確保できることから、個人によるホットスポットと中継用端末の開設と帯域の開放の動機付けが行え、サービスエリアの拡大が促され利用者の利便性が向上する。また、第三者に帯域を開放する個人は、自分が設備したアクセス回線を有効利用することができる。またさらに、アクセスポイント及び中継用端末でのトラヒック量を管理する手間が省けると共に、清算処理が不要となるので、サーバのシステム構成がシンプルとなり、運用コストも低減できる。
【図面の簡単な説明】
【図１】収入を分配するモデルのアクセス系サービスについて説明するための図である。
【図２】収入を分配するモデルの中継系サービスについて説明するための図である。
【図３】帯域を交換するモデルのアクセス系サービスについて説明するための図である。
【図４】帯域を交換するモデルの中継系サービスについて説明するための図である。
【図５】収入を分配するモデルにおけるアクセス系サービスの処理手順について説明するための図である。
【図６】収入を分配するモデルにおける中継系サービスの処理手順について説明するための図である。
【図７】帯域を交換するモデルにおけるアクセス系サービスの処理手順について説明するための図である。
【図８】帯域を交換するモデルにおける中継系サービスの処理手順について説明するための図である。
【図９】アクセス系サービスにおけるアクセスポイントの位置情報の提供の手順を示す図である。
【図１０】中継系サービスにおけるアクセスポイントの位置情報の提供の手順を示す図である。
【図１１】会員管理ＤＢのデータ構成例を示す図である。
【図１２】帯域管理ＤＢのデータ構成例を示す図である。
【図１３】利用状況管理ＤＢのデータ構成例を示す図である。
【図１４】無線ＬＡＮを用いたシステムの形態を説明するための図である。
【図１５】個人が開設するホットスポットエリアについて説明するための図である。
【符号の説明】
１、２、３　会員
１ａ　利用端末
２ａ　中継用端末
３ａ　アクセスポイント
４　ＩＰ網
５　相手端末
１０　サーバ
１１　会員管理ＤＢ
１２　帯域管理ＤＢ
１３　利用状況管理ＤＢ
２１、２１ａ、３１、３１ａ　会員登録機能
２２、２２ａ、３２、３２ａ　帯域登録機能
２３、２３ａ、３３、３３ａ　端末認証機能
２４、２４ａ　利用許可通知機能
２５、２５ａ　利用度数受信機能
２６、２６ａ　利用度数情報確認機能
２７、２７ａ　分配金額算出機能
３４、３４ａ　帯域確保通知機能
【図１】
2004064536.tif 000003
【図２】
2004064536.tif 000004
【図３】
2004064536.tif 000005
【図４】
2004064536.tif 000006
【図５】
2004064536.tif 000007
【図６】
2004064536.tif 000008
【図７】
2004064536.tif 000009
【図８】
2004064536.tif 000010
【図９】
2004064536.tif 000011
【図１０】
2004064536.tif 000012
【図１１】
2004064536.tif 000013
【図１２】
2004064536.tif 000014
【図１３】
2004064536.tif 000015
【図１４】
2004064536.tif 000016
【図１５】
2004064536.tif 000017